(57)【要約】【課題】高付加価値を持った情報処理装置用のバッテリを提供する。【解決手段】情報処理装置１（の本体装置２）に給電するバッテリ装置３であって、本体装置２から取り外されているときに、他の機器に電源を供給する電源供給手段３２を有する。【選択図】図２
2015097440.tif 000002
【特許請求の範囲】
【請求項１】
情報処理装置に給電するバッテリ装置であって、前記情報処理装置から取り外されているときに、他の機器に電源を供給する電源供給手段を有することを特徴とするバッテリ装置。
【請求項２】
前記電源供給手段から供給される電源で発光する発光手段を備えることを特徴とする請求項１記載のバッテリ装置。
【請求項３】
前記電源供給手段が前記他の機器に電源を供給するインタフェースが、ＵＳＢであることを特徴とする請求項１又は２記載のバッテリ装置。
【発明の詳細な説明】
【技術分野】
【０００１】
本発明は、バッテリ装置に関し、特に、バッテリ装置の高付加価値化に関する。
【背景技術】
【０００２】
充電電池に付加価値を付ける方向性を持った先行技術としては、例えば、特許文献１や特許文献２に記載のものがある。特許文献１には、俵型の乾電池のような電池の一部にＬＥＤ灯を設け、照明に使えるようにする旨の記載がある。特許文献２には、携帯電話の充電池のような板状の電池の一部にＬＥＤ灯を設け、スイッチを押すと単独で照明灯として使用できる旨の記載がある。
【先行技術文献】
【特許文献】
【０００３】
【特許文献１】中国実用新案公告第２０１６８２００６号明細書
【特許文献２】中国実用新案公告第２０２０５００２４号明細書
【発明の概要】
【発明が解決しようとする課題】
【０００４】
近時のノートブック型パーソナルコンピュータ（以下、ノートＰＣと呼ぶ）に付属品として提供されるバッテリは、大容量の二次電池を積んでおり、高性能なＩＣも積んでいる。ＩＣは、バッテリ自身の状態や接続するノートＰＣの状態を把握して適切な制御を行うので、いわゆるメモリ効果に関連する不都合も改善し、ユーザが望まないときに深放電に陥ることがない。
【０００５】
しかしながら、近時のノートＰＣに付属するバッテリは、大容量且つ高性能であってもそれ以上の付加価値をユーザに提供するものではない。この点に関して、上述した従来技術は、照明になるという付加価値を提供するものではあるものの、その電池が本来何に用いられる意図を持ったものであるのかについては、言及がないか、或いは、携帯電話に用いることが想定されていることが記載されている。
【０００６】
ところで、ノートＰＣに代表される情報処理装置は、近時、非常に身近な存在である。先進国のユーザにとっては非常用の懐中電灯よりも身近である可能性が高い。例えば、大規模災害が起きて停電になったような場合に、このような身近な電子機器が本来の役割以上の機能を提供することができたら便利である。
【０００７】
本発明は、上述したような実情に鑑みてなされたものであって、高付加価値を持った情報処理装置用のバッテリを提供することを目的とする。
【課題を解決するための手段】
【０００８】
上記目的を達成するために本発明は、情報処理装置に給電するバッテリ装置であって、前記情報処理装置から取り外されているときに、他の機器に電源を供給する電源供給手段を有することを特徴とするバッテリ装置を提供する。
【発明の効果】
【０００９】
本発明によれば、高付加価値を持った情報処理装置用のバッテリを提供することが可能となる。
【図面の簡単な説明】
【００１０】
【図１】本発明による実施形態の外観構成例を示す図である。
【図２】上記実施形態の構成を示すブロック図である。
【発明を実施するための形態】
【００１１】
以下、本発明による実施形態について図面を参照しながら説明する。
【００１２】
図１に、本実施形態の外観構成例を示す。
情報処理装置１は、いわゆるノートＰＣであり、本体装置２、バッテリ装置３、ＡＣアダプタ４を有する構成である。バッテリ装置３は、二次電池を内蔵しており、情報処理装置１に給電する。厳密には本体装置２に給電する。本体装置２は、商用電源に接続したＡＣアダプタ４に接続されたとき、ＡＣアダプタ４から電源供給を受けて動作するとともに、バッテリ装置３の二次電池に蓄電もする。
【００１３】
バッテリ装置３が本体装置２に着脱する部位について特に限定はないが、図１では、ノートＰＣの後方、ヒンジ部に装着可能に構成される例を示した。好ましくは、機械的なスライドスイッチなどによりバッテリ装置３は本体装置２に装着、又は、脱着させることができる。
【００１４】
図２に、本実施形態に係るバッテリ装置３の構成を示す。図２中、点線は制御の流れを示し、実線は電源供給の流れを示す。図２に示すように、バッテリ装置３は、バッテリセル３１と電源供給手段３２を有する。バッテリ装置３が本体装置２に装着されており、且つ、本体装置２にＡＣアダプタ４が接続しているとき、電源供給手段３２は、ＡＣアダプタ４が商用電源等から給電した電力を、バッテリセル３１に充電力として供給する。一方で、バッテリ装置３が本体装置２に装着されており、且つ、本体装置２にＡＣアダプタ４が接続していないとき、電源供給手段３２は、バッテリセル３１の充電力を本体装置２に供給する。
【００１５】
また、バッテリ装置３は、着脱検知手段３３と、給電インタフェース３４とＬＥＤ３５を有する。着脱検知手段３３は、バッテリ装置３が本体装置２に装着されているか否かを検知する機能を備える。検知結果を、本実施形態では、電源供給手段３２が知ることができる。電源供給手段３２は、バッテリ装置３が本体装置２から取り外されているときに、バッテリセル３１の充電力を、本体装置２ではない他の機器に、給電インタフェース３４を介して供給する。
【００１６】
給電インタフェース３４としては、標準化された汎用インタフェースが好適である。好ましくは、ＵＳＢインタフェースが用いられる。ＵＳＢのバス給電により、他の機器へとバッテリセル３１の充電力が給電される。他の機器としては、限定するものではないが、例えば、携帯電話が考えられる。
【００１７】
給電インタフェース３４として汎用のインタフェース、特に、ＵＳＢを用いることにより、安価な部品を用いることができ、コストを抑えることができる。
【００１８】
また、電源供給手段３２は、バッテリ装置３が本体装置２から取り外されているときに、バッテリセル３１の充電力を、発光手段であるＬＥＤ３５にも供給して、発光させる。図示していないが、電源供給手段３２とＬＥＤ３５の間にスイッチを設け、発光させるか否かをユーザの意志に委ねてもよい。
【００１９】
上述した本実施形態によれば、バッテリ装置３が、非常時や災害時における非常用電源として用いることができる。すなわち、バッテリ装置３は、従来のノートＰＣ用バッテリに比して、高付加価値を持った情報処理装置用のバッテリとなる。
【００２０】
ノートＰＣに代表される情報処理装置は、近時、非常に身近な存在である。先進国のユーザにとっては非常用の懐中電灯よりも身近である可能性が高い。そのような電子機器のバッテリが、非常時や大規模災害による停電時に、非常用のライトとして、また、ライフラインとしての携帯電話機の大容量バッテリとして利用できる構成は、効用が大きい。
【符号の説明】
【００２１】
１    情報処理装置
２    本体装置
３    バッテリ装置
３１    バッテリセル
３２    電源供給手段
３３    着脱検知手段
３４    給電インタフェース
３５    ＬＥＤ
４    ＡＣアダプタ
【図１】
2015097440.tif 000003
【図２】
2015097440.tif 000004